(57)【特許請求の範囲】
【請求項１】
互いに直交する長さ方向、幅方向及び厚さ方向と、前記厚さ方向の一方側に位置する第１面と、前記厚さ方向の他方側に位置する第２面とを有する吸収性物品であって、
前記第１面は、前記長さ方向に延在する中央領域と、前記幅方向の一方側において前記中央領域に隣接する第１隣接領域と、前記幅方向の他方側において前記中央領域に隣接する第２隣接領域とを有し、
前記吸収性物品は、前記中央領域を形成する透液性のトップシートと、前記第１隣接領域を形成する撥液性の第１サイドシートと、前記第２隣接領域を形成する撥液性の第２サイドシートと、前記第２面を形成する不透液性のバックシートと、前記トップシート及び前記バックシートの間に設けられた吸液性の吸収体とを備え、
前記中央領域は、前記厚さ方向において前記吸収体と重なる第１重なり領域を有し、
前記第１隣接領域は、前記厚さ方向において前記トップシートと重なる第２重なり領域を有し、
前記第２隣接領域は、前記厚さ方向において前記トップシートと重なる第３重なり領域を有し、
前記第２重なり領域及び前記第３重なり領域のうち少なくとも一方は、前記第１重なり領域に対して前記幅方向に間隔を置いて位置し、
さらに、前記吸収性物品は、本体部と、前記本体部から前記幅方向の一方側に延在する第１ウイング部と、前記本体部から前記幅方向の他方側に延在する第２ウイング部とを有し、
前記第１隣接領域は、前記第１ウイング部の表面に相当する領域を有し、
前記第２隣接領域は、前記第２ウイング部の表面に相当する領域を有し、
前記第２面は、前記第１ウイング部の表面に相当する領域及び前記第２ウイング部の表面に相当する領域を有し、
前記第２面のうち、前記第１ウイング部の表面に相当する領域及び前記第２ウイング部の表面に相当する領域には、それぞれ、第１粘着部及び第２粘着部が設けられており、
前記第１サイドシートには、前記第１隣接領域に開口部を有する複数の液透過孔が形成されており、
前記第２サイドシートには、前記第２隣接領域に開口部を有する複数の液透過孔が形成されている、前記吸収性物品。
【請求項２】
前記間隔は、前記吸収体の厚み以下である、請求項１に記載の吸収性物品。
【請求項３】
前記吸収性物品は、前記トップシートと前記第１サイドシートとを接合する第１接合部であって、前記第２重なり領域内に位置する前記第１接合部、及び／又は、前記トップシートと前記第２サイドシートとを接合する第２接合部であって、前記第３重なり領域内に位置する前記第２接合部を有する、請求項１又は２に記載の吸収性物品。
【請求項４】
前記第１サイドシートの前記幅方向の両端縁のうち前記中央領域側の端縁、及び／又は、前記第２サイドシートの前記幅方向の両端縁のうち前記中央領域側の端縁は、前記トップシートに固定されていない自由端縁である、請求項３に記載の吸収性物品。
【請求項５】
前記第２重なり領域及び前記第３重なり領域は両方とも、前記第１重なり領域に対して前記幅方向に間隔を置いて位置する、請求項１〜４のいずれか１項に記載の吸収性物品。
【請求項６】
前記第１サイドシートに形成された前記液透過孔は、前記第１サイドシートに形成された凹部であって、前記凹部を形成する内周面の一部が、前記第１サイドシートを厚さ方向に貫通するスリットによって前記第１隣接領域から分断されている前記凹部であり、
前記第２サイドシートに形成された前記液透過孔は、前記第２サイドシートに形成された凹部であって、前記凹部を形成する内周面の一部が、前記第２サイドシートを厚さ方向に貫通するスリットによって前記第２隣接領域から分断されている前記凹部である、請求項１〜５のいずれか一項に記載の吸収性物品。
【請求項７】
前記スリットは、前記長さ方向に延在している、請求項６に記載の吸収性物品。
【請求項８】
前記第１隣接領域は、前記厚さ方向において前記第１粘着部と重なる第４重なり領域を有し、
前記第２隣接領域は、前記厚さ方向において前記第２粘着部と重なる第５重なり領域を有し、
前記第１サイドシートに形成された前記液透過孔の開口部は、前記第２重なり領域と、前記第４重なり領域との間に位置し、
前記第２サイドシートに形成された前記液透過孔の開口部は、前記第３重なり領域と、前記第５重なり領域との間に位置する、請求項１〜７のいずれか１項に記載の吸収性物品。
【発明の詳細な説明】
【技術分野】
【０００１】
本発明は、吸収性物品に関する。
【背景技術】
【０００２】
特許文献１及び特許文献２には、トップシートと、トップシートの肌当接面の両側部に配置された一対のサイドシートと、バックシートと、トップシート及びバックシートの間に配置された吸収体とを備える吸収性物品が記載されている。
【０００３】
特許文献１において、サイドシートは、吸収性物品の長さ方向に実質的に連続する接合ラインによって、トップシートと接合されており、接合ラインの少なくとも一部は、平面視において吸収体と重なっている。
【０００４】
特許文献２において、サイドシートは、吸収体の両側においてトップシートに固定された基端部と、トップシートに固定されていない自由端部と、自由端部に取り付けられた弾性体とを有しており、弾性体の付勢によって吸収体の両側から立ち上がっている。
【先行技術文献】
【特許文献】
【０００５】
【特許文献１】特許第４１５２３４９号公報
【特許文献２】特開平０５−２２０１９１号公報
【発明の概要】
【発明が解決しようとする課題】
【０００６】
特許文献１では、吸収性物品の厚さ方向においてサイドシートが吸収体と重なっているため、吸収性物品に供給された液体の吸収体への移行がサイドシートによって阻害され、吸収性物品から液体が漏出するおそれがある。
【０００７】
特許文献２において、吸収体の両側から立ち上がっているサイドシートが、吸収体の内側に倒れ、吸収性物品の厚さ方向においてサイドシートが吸収体と重なると、吸収性物品に供給された液体の吸収体への移行がサイドシートによって阻害され、吸収性物品から液体が漏出するおそれがある。
【０００８】
そこで、本発明は、吸収性物品からの液体の漏出を防止することができる吸収性物品を提供することを目的とする。
【課題を解決するための手段】
【０００９】
上記課題を解決するために、本発明は、
互いに直交する長さ方向、幅方向及び厚さ方向と、前記厚さ方向の一方側に位置する第１面と、前記厚さ方向の他方側に位置する第２面とを有する吸収性物品であって、
前記第１面は、前記長さ方向に延在する中央領域と、前記幅方向の一方側において前記中央領域に隣接する第１隣接領域と、前記幅方向の他方側において前記中央領域に隣接する第２隣接領域とを有し、
前記吸収性物品は、前記中央領域を形成する透液性のトップシートと、前記第１隣接領域を形成する撥液性の第１サイドシートと、前記第２隣接領域を形成する撥液性の第２サイドシートと、前記第２面を形成する不透液性のバックシートと、前記トップシート及び前記バックシートの間に設けられた吸液性の吸収体とを備え、
前記中央領域は、前記厚さ方向において前記吸収体と重なる第１重なり領域を有し、
前記第１隣接領域は、前記厚さ方向において前記トップシートと重なる第２重なり領域を有し、
前記第２隣接領域は、前記厚さ方向において前記トップシートと重なる第３重なり領域を有し、
前記第２重なり領域及び前記第３重なり領域のうち少なくとも一方は、前記第１重なり領域に対して前記幅方向に間隔を置いて位置する、前記吸収性物品を提供する。
【発明の効果】
【００１０】
本発明によれば、吸収性物品からの液体の漏出を防止することができる吸収性物品が提供される。
【図面の簡単な説明】
【００１１】
【図１】図１は、本発明の一実施形態に係る吸収性物品の平面図である。
【図２】図２（Ａ）は、図１のＡ−Ａ線断面図であり、図２（Ｂ）は、図２（Ａ）においてＢで示される部分の拡大図であり、図２（Ｃ）は、図２（Ａ）においてＣで示される部分の拡大図である。
【図３】図３（Ａ）は、図１に示される吸収性物品に搭載されたトップシートの平面図であり、図３（Ｂ）は、図３（Ａ）のＢ−Ｂ線断面図である。
【図４】図４（Ａ）は、図１に示される吸収性物品に搭載された第１サイドシート及び第２サイドシートの平面図であり、図４（Ｂ）は、図４（Ａ）のＢ−Ｂ線断面図であり、図４（Ｃ）は、図４（Ａ）のＣ−Ｃ線断面図である。
【図５】図５（Ａ）は、図１に示される吸収性物品の第１サイドシート及び第２サイドシートに形成された液透過孔の斜視図であり、図５（Ｂ）は、図５（Ａ）のＢ−Ｂ線断面図であり、図５（Ｃ）は、図５（Ａ）のＣ−Ｃ線断面図である。
【図６】図６（Ａ）及び（Ｂ）は、粘着部が複数条の粘着剤ラインによって形成される一実施形態を示す平面図である。
【図７】図７は、図１に示される吸収性物品の第１面が有する領域を説明するための図である。
【図８】図８は、トップシートのギア延伸に使用されるギア延伸ロールを説明するための図である。
【発明を実施するための形態】
【００１２】
以下、本発明の吸収性物品に包含される態様について説明する。なお、本明細書において、長さ方向の両側のうち、吸収性物品の中心を通って幅方向に延在する仮想中心線の近位側を「長さ方向の内側」と表現し、遠位側を「長さ方向の外側」と表現する場合がある。また、幅方向の両側のうち、吸収性物品の中心を通って長さ方向に延在する仮想中心線の近位側を「幅方向の内側」と表現し、遠位側を「幅方向の外側」と表現する場合がある。また、厚さ方向の両側のうち、着用者の肌側に位置する厚さ方向の一方側を「肌側」といい、着用者の着衣側に位置する厚さ方向の他方側を「着衣側」又は「下着側」という場合がある。
【００１３】
本発明の一態様（以下「態様１」という）に係る吸収性物品は、互いに直交する長さ方向、幅方向及び厚さ方向と、前記厚さ方向の一方側に位置する第１面と、前記厚さ方向の他方側に位置する第２面とを有する吸収性物品であって、前記第１面は、前記長さ方向に延在する中央領域と、前記幅方向の一方側において前記中央領域に隣接する第１隣接領域と、前記幅方向の他方側において前記中央領域に隣接する第２隣接領域とを有し、前記吸収性物品は、前記中央領域を形成する透液性のトップシートと、前記第１隣接領域を形成する撥液性の第１サイドシートと、前記第２隣接領域を形成する撥液性の第２サイドシートと、前記第２面を形成する不透液性のバックシートと、前記トップシート及び前記バックシートの間に設けられた吸液性の吸収体とを備え、前記中央領域は、前記厚さ方向において前記吸収体と重なる第１重なり領域を有し、前記第１隣接領域は、前記厚さ方向において前記トップシートと重なる第２重なり領域を有し、前記第２隣接領域は、前記厚さ方向において前記トップシートと重なる第３重なり領域を有し、前記第２重なり領域及び前記第３重なり領域のうち少なくとも一方は、前記第１重なり領域に対して前記幅方向に間隔を置いて位置する、前記吸収性物品である。
【００１４】
態様１に係る吸収性物品では、第２重なり領域及び第３重なり領域のうち少なくとも一方が、第１重なり領域に対して幅方向に間隔を置いて位置する。すなわち、第１サイドシート及び第２サイドシートのうち少なくとも一方が、厚さ方向において吸収体と重なっていないので、吸収性物品に供給された液体の吸収体への移行がサイドシートによって阻害されにくい。したがって、態様１に係る吸収性物品は、第１サイドシート及び第２サイドシートのうち少なくとも一方が厚さ方向において吸収体と重なることに起因する、吸収性物品からの液体の漏出を防止することができる。
【００１５】
態様１に係る吸収性物品の好ましい一態様（以下「態様２」という）において、前記間隔は、前記吸収体の厚み以下である。
【００１６】
吸収性物品に対して加えられた幅方向の内側に向かう力によって、吸収性物品の第１面が、第１重なり領域の幅方向の両端縁で谷折りに折れ曲がり、さらに、第２重なり領域の幅方向の両端縁のうち内側（中央領域側）の端縁及び第３重なり領域の幅方向の両端縁のうち内側（中央領域側）の端縁で山折りに折れ曲がる場合がある。この場合、第１重なり領域と第２重なり領域との間隔、及び／又は、第１重なり領域と第３重なり領域との間隔が、吸収体の厚みよりも大きいと、第１重なり領域と第２重なり領域との間の領域の変形、及び／又は、第１重なり領域と第３重なり領域との間の領域の変形によって、第２重なり領域及び／又は第３重なり領域が、厚さ方向において第１重なり領域と重なる（すなわち、厚さ方向において第１サイドシート及び／又は第２サイドシートが吸収体と重なる）おそれがある。この点、態様２に係る吸収性物品では、第１重なり領域と第２重なり領域との間隔、及び／又は、第１重なり領域と第３重なり領域との間隔が、吸収体の厚み以下である。したがって、態様２に係る吸収性物品に対して幅方向の内側に向かう力が加えられても、第１サイドシート及び／又は第２サイドシートは、厚さ方向において吸収体と重なりにくい。
【００１７】
態様１又は２に係る吸収性物品の好ましい一態様（以下「態様３」という）において、前記吸収性物品は、前記トップシートと前記第１サイドシートとを第１接合部であって、前記第２重なり領域内に位置する前記第１接合部、及び／又は、前記トップシートと前記第２サイドシートとを接合する第２接合部であって、前記第３重なり領域内に位置する前記第２接合部を有する。
【００１８】
第１接合部及び／又は第２接合部は、トップシートを透過した液体の、トップシート及びバックシートの間における幅方向への広がりを堰き止めることができる。したがって、態様３に係る吸収性物品は、トップシートを透過した液体が吸収性物品内部を幅方向へ広がることに起因する、吸収性物品からの液体の漏出を防止することができる。また、第１サイドシート及び第２サイドシートは撥液性であるので、トップシートを透過した液体は、第１接合部及び／又は第２接合部から滲み出しにくい。したがって、態様３に係る吸収性物品は、トップシートを透過した液体が第１接合部及び／又は第２接合部から滲み出すことに起因する、吸収性物品からの液体の漏出を防止することができる。
【００１９】
態様３に係る吸収性物品の好ましい一態様（以下「態様４」という）において、前記第１サイドシートの前記幅方向の両端縁のうち前記中央領域側の端縁、及び／又は、前記第２サイドシートの前記幅方向の両端縁のうち前記中央領域側の端縁は、前記トップシートに固定されていない自由端縁である。
【００２０】
第１サイドシートの自由端縁及び／又は第２サイドシートの自由端縁は、中央領域から幅方向に流れ出した液体の勢いを妨げることができる。このため、中央領域から幅方向に流れ出した液体は、第１サイドシートの自由端縁及び／又は第２サイドシートの自由端縁を超えて漏出しにくい。したがって、態様４に係る吸収性物品は、中央領域から幅方向に流れ出した液体の吸収性物品からの漏出を防止することができる。
【００２１】
態様１〜４のいずれかに係る吸収性物品の好ましい一態様（以下「態様５」という）において、前記第２重なり領域及び前記第３重なり領域は両方とも、前記第１重なり領域に対して前記幅方向に間隔を置いて位置する。
【００２２】
態様５に係る吸収性物品では、第１サイドシート及び第２サイドシートが両方とも、厚さ方向において吸収体と重なっていない。したがって、態様５に係る吸収性物品は、第１サイドシート及び第２サイドシートが厚さ方向において吸収体と重なることに起因する、吸収性物品からの液体の漏出を防止することができる。
【００２３】
態様１〜５のいずれかに係る吸収性物品の好ましい一態様（以下「態様６」という）において、前記吸収性物品は、本体部と、前記本体部から前記幅方向の一方側に延在する第１ウイング部と、前記本体部から前記幅方向の他方側に延在する第２ウイング部とを有し、前記第１隣接領域は、前記第１ウイング部の表面に相当する領域を有し、前記第２隣接領域は、前記第２ウイング部の表面に相当する領域を有し、前記第２面は、前記第１ウイング部の表面に相当する領域及び前記第２ウイング部の表面に相当する領域を有し、前記第２面のうち、前記第１ウイング部の表面に相当する領域及び前記第２ウイング部の表面に相当する領域には、それぞれ、第１粘着部及び第２粘着部が設けられており、前記第１サイドシートには、前記第１隣接領域に開口部を有する複数の液透過孔が形成されており、前記第２サイドシートには、前記第２隣接領域に開口部を有する複数の液透過孔が形成されている。
【００２４】
態様６に係る吸収性物品が着用される際、本体部は下着のクロッチ部の肌当接面に設置され、第１ウイング部及び第２ウイング部は下着のクロッチ部の非肌当接面側（肌当接面の反対側）に折り返される。このため、中央領域に供給された液体は幅方向に向けて流れ出しやすい。この際、幅方向に向けて流れ出した液体は、第１隣接領域及び第２隣接領域に存在する液透過孔の開口部で捕捉され、液透過孔を通じて第１サイドシート及び第２サイドシートを透過する。したがって、態様６に係る吸収性物品は、幅方向に向けて流れ出した液体の吸収性物品からの漏出を防止することができる。
【００２５】
態様６に係る吸収性物品の好ましい一態様（以下「態様７」という）において、
前記第１サイドシートに形成された前記液透過孔は、前記第１サイドシートに形成された凹部であって、前記凹部を形成する内周面の一部が、前記第１サイドシートを厚さ方向に貫通するスリットによって前記第１隣接領域から分断されている前記凹部であり、
前記第２サイドシートに形成された前記液透過孔は、前記第２サイドシートに形成された凹部であって、前記凹部を形成する内周面の一部が、前記第２サイドシートを厚さ方向に貫通するスリットによって前記第２隣接領域から分断されている前記凹部である。
【００２６】
態様７に係る吸収性物品では、トップシートを透過した液体が、液透過孔を通じて見えにくいとともに、液透過孔を通じて滲み出しにくい。
【００２７】
態様７に係る吸収性物品の一態様（以下「態様８」という）において、前記スリットは、前記長さ方向に延在している。
【００２８】
態様８に係る吸収性物品では、スリットが折り曲げ基点となり、第１ウイング部及び第２ウイング部を折り曲げやすい。また、スリットに到達した液体が長さ方向に拡散しやすいため、幅方向からの液体の漏れを防止することができる。
【００２９】
態様６〜８のいずれかに係る吸収性物品の好ましい一態様（以下「態様９」という）において、前記第１隣接領域は、前記厚さ方向において前記第１粘着部と重なる第４重なり領域を有し、前記第２隣接領域は、前記厚さ方向において前記第２粘着部と重なる第５重なり領域を有し、前記第１サイドシートに形成された前記液透過孔の開口部は、前記第２重なり領域と、前記第４重なり領域との間に位置し、前記第２サイドシートに形成された前記液透過孔の開口部は、前記第３重なり領域と、前記第５重なり領域との間に位置する。
【００３０】
態様９に係る吸収性物品において、第１サイドシートに形成された液透過孔の開口部は、第２重なり領域と第４重なり領域との間に位置し、第２サイドシートに形成された液透過孔の開口部は、第３重なり領域Ｒと第５重なり領域との間に位置する。すなわち、第１サイドシートに形成された液透過孔の開口部は、第２重なり領域の幅方向の両端縁のうち第４重なり領域側の端縁と、第４重なり領域の輪郭線上の点のうち最も第２重なり領域側に位置する点を通り、長さ方向Ｘに延在する仮想直線との間には存在するが、この仮想直線よりも幅方向の外側には存在しない。同様に、第２サイドシートに形成された液透過孔の開口部は、第３重なり領域の幅方向Ｙの両端縁のうち第５重なり領域側の端縁と、第５重なり領域の輪郭線上の点のうち最も第３重なり領域側に位置する点を通り、長さ方向Ｘに延在する仮想直線との間には存在するが、この仮想直線よりも幅方向の外側には存在しない。これらの仮想直線は、第１ウイング部及び第２ウイング部が下着のクロッチ部の非肌当接面側に折り返される際の折り曲げ線となりやすい。第１ウイング部及び第２ウイング部がこれらの仮想直線で折り返されると、これらの仮想直線よりも幅方向の外側に位置する部分が着用者の着衣側に位置するが、これらの部分には液透過孔の開口部が存在しない。したがって、トップシートを透過した液体が吸収性物品内部を幅方向へ広がっても、これらの部分から液体が滲み出しにくい。また、これらの部分に液透過孔の開口部が存在しないので、第１サイドシート及び第２サイドシートのうち第１ウイング部及び第２ウイング部を形成する部分の強度が十分なものとなる。したがって、第１ウイング部及び第２ウイング部が第１粘着部及び第２粘着部によって下着のクロッチ部の非肌当接面に固定されたとき、第１粘着部及び第２粘着部による吸収体物品のズレ防止効果が発揮されやすい。
【００３１】
本発明の吸収性物品の種類及び用途は特に限定されるものではない。吸収性物品としては、例えば、生理用ナプキン、使い捨てオムツ、パンティーライナー等の衛生用品が挙げられ、これらはヒトを対象としてもよいし、ペット等のヒト以外の動物を対象としてもよい。本発明の吸収性物品が吸収対象とする液体としては、例えば、経血、下り物、尿、水様便等の液状排泄物が挙げられる。以下、図面に基づいて、本発明の吸収性物品の一実施形態に係る生理用ナプキン１について説明する。
【００３２】
以下、図１及び図２に基づいて、生理用ナプキン１の基本的な構成を説明する。図１は、生理用ナプキン１の平面図であり、図２（Ａ）は、図１のＡ−Ａ線断面図であり、図２（Ｂ）は、図２においてＢで示される部分の拡大図であり、図２（Ｃ）は、図２においてＣで示される部分の拡大図である。なお、図２では、第１サイドシート３１及び第２サイドシート３２に形成された液透過孔６が、図の簡略化の目的で省略されている。
【００３３】
生理用ナプキン１は、互いに直交する長さ方向Ｘ、幅方向Ｙ及び厚さ方向Ｚを有する。なお、その他の図面に示される方向Ｘ、方向Ｙ及び方向Ｚは、それぞれ、図１及び図２に示される長さ方向Ｘ、幅方向Ｙ及び厚さ方向Ｚと一致する。
【００３４】
生理用ナプキン１は、厚さ方向Ｚの一方側に位置する第１面Ｓ11と、厚さ方向Ｚの他方側に位置する第２面Ｓ12とを有する。
【００３５】
生理用ナプキン１は、本体部１０と、本体部１０から幅方向Ｙの一方側に延在する第１ウイング部１１と、本体部１０から幅方向Ｙの他方側に延在する第２ウイング部１２とを有する。第１ウイング部１１及び第２ウイング部１２は、本体部１０の幅方向Ｙの両端縁の略中央から幅方向Ｙに延在する。第１ウイング部１１及び第２ウイング部１２の周縁のうち、本体部１０に連結している基端縁以外の部分は、本体部１０に連結されていない自由端縁である。したがって、第１ウイング部１１及び第２ウイング部１２は、基端縁を軸として、本体部１０に対して折り曲げることが可能である。
【００３６】
生理用ナプキン１の第１面Ｓ11は、長さ方向Ｘに延在する中央領域Ｒ1と、幅方向Ｙの一方側において中央領域Ｒ1に隣接する第１隣接領域Ｒ2と、幅方向Ｙの他方側において中央領域Ｒ1に隣接する第２隣接領域Ｒ3とを有する。中央領域Ｒ1は、第１面Ｓ11の幅方向Ｙの略中央に位置し、第１面Ｓ11の長さ方向Ｘの一方側の端縁から他方側の端縁まで長さ方向Ｘに延在する。第１隣接領域Ｒ2は、中央領域Ｒ1の幅方向Ｙの一方側の端縁と境界線Ｂ1で接し、第２隣接領域Ｒ3は、中央領域Ｒ1の幅方向Ｙの他方側の端縁と境界線Ｂ2で接する。境界線Ｂ1は、第１サイドシート３１の幅方向Ｙの両端縁のうち内側（中央領域Ｒ1側）の端縁３１１によって形成され、境界線Ｂ2は、第２サイドシート３２の幅方向Ｙの両端縁のうち内側（中央領域Ｒ1側）の端縁３２１によって形成される。
【００３７】
生理用ナプキン１は、中央領域Ｒ1を形成する透液性のトップシート２と、第１隣接領域Ｒ2を形成する撥液性の第１サイドシート３１と、第２隣接領域Ｒ3を形成する撥液性の第２サイドシート３２と、第２面Ｓ12を形成する不透液性のバックシート４と、トップシート２及びバックシート４の間に設けられた吸液性の吸収体５とを備える。
【００３８】
生理用ナプキン１は、第１面Ｓ11が着用者の肌側に位置し、第２面Ｓ12が着用者の下着側に位置するように着用される。着用者から排泄された液状排泄物は、トップシート２を通じて吸収体５に浸透し、吸収体５で吸収及び保持される。吸収体５に吸収及び保持される液状排泄物の漏れは、バックシート４によって防止される。
【００３９】
トップシート２は、透液性シートである。本実施形態においてトップシート２として使用される透液性シートは不織布である。不織布としては、例えば、エアースルー不織布、スパンボンド不織布、ポイントボンド不織布等が挙げられる。
【００４０】
第１サイドシート３１及び第２サイドシート３２は、撥液性シートである。本実施形態において第１サイドシート３１及び第２サイドシート３２として使用される撥液性シートは、複数の液透過孔６が形成された合成樹脂シート（合成樹脂フィルム）である。その他の撥水性シートとしては、例えば、撥水加工が施された不織布等が挙げられる。第１サイドシート３１及び第２サイドシート３２の撥液性は合成樹脂シートの特性に基づいて発揮される。第１サイドシート３１及び第２サイドシート３２は、透液性を有する。合成樹脂シートそれ自体は透液性を有しないので、第１サイドシート３１及び第２サイドシート３２の透液性は、合成樹脂シートに形成された複数の液透過孔６に基づいて発揮される。合成樹脂シートを構成する合成樹脂としては、例えば、低密度ポリエチレン、直鎖状低密度ポリエチレン、高密度ポリエチレン、ポリプロピレン等のポリオレフィン；オレフィンと他のモノマー（例えば、アクリル酸エステル、酢酸ビニル等）との共重合体；ポリエチレンテレフタレート等のポリエステル等が挙げられる。第１サイドシート３１及び第２サイドシート３２の厚さ、坪量等は、液透過孔６の形成性等の点から、適宜調整される。
【００４１】
本実施形態において、第１サイドシート３１及び第２サイドシート３２には液透過孔６が形成されている。但し、液透過孔６は省略可能である。
【００４２】
第１サイドシート３１は、本体部１０を形成するとともに、本体部１０から幅方向Ｙの一方側に延在し、第１ウイング部１１を形成する。したがって、第１サイドシート３１によって形成される第１隣接領域Ｒ2は、第１ウイング部１１の表面に相当する領域を有する。第２サイドシート３２は、本体部１０を形成するとともに、本体部１０から幅方向Ｙの他方側に延在し、第２ウイング部１２を形成する。したがって、第２サイドシート３２によって形成される第２隣接領域Ｒ3は、第２ウイング部１２の表面に相当する領域を有する。
【００４３】
バックシート４は、不透液性シートである。バックシート４として使用される不透液性シートは、例えば、防水処理を施した不織布、合成樹脂フィルム、不織布と合成樹脂フィルムとの複合シート等である。バックシート４の厚さ、坪量等は、不透液性等を考慮して適宜調整される。
【００４４】
バックシート４は、本体部１０を形成するとともに、本体部１０から幅方向Ｙの両側に延在し、第１ウイング部１１及び第２ウイング部１２を形成する。したがって、バックシート４によって形成される第２面Ｓ12は、第１ウイング部１１の表面に相当する領域及び第２ウイング部１２の表面に相当する領域を有する。トップシート２、第１サイドシート３１及び第２サイドシート３２のうち、バックシート４の周縁部と重なる部分は、不図示のシール部によってバックシート４と接合されている。シール部による接合様式としては、例えば、ヒートエンボス処理による接合、ホットメルト型接着剤による接合等が挙げられる。
【００４５】
吸収体５は、液状排泄物を吸収し得る吸収性材料を含有する。吸収性材料としては、例えば、親水性繊維、高吸収性ポリマー等が挙げられる。親水性繊維としては、例えば、パルプ等のセルロース系繊維が挙げられる。高吸収性ポリマー（Super Absorbent Polymer：ＳＡＰ）としては、例えば、ポリアクリル酸塩系、ポリスルホン酸塩系、無水マレイン酸塩系、ポリアクリルアミド系、ポリビニルアルコール系、ポリエチレンオキシド系等が挙げられる。
【００４６】
吸収体５は、例えば、吸収性材料層と、吸収性材料層を被覆する透液性のコアラップとから構成される。コアラップとして使用される透液性シートは、例えば、ティッシュ等の不織布である。
【００４７】
以下、図３に基づいて、トップシート２の基本的な構成を説明する。図３（Ａ）は、トップシート２の平面図であり、図３（Ｂ）は、図３（Ａ）のＢ−Ｂ線断面図である。なお、図３（Ａ）において、トップシート２に対する第１サイドシート３１及び第２サイドシート３２の位置関係を明確にするために、第１サイドシート３１及び第２サイドシート３２が仮想線で示されている。
【００４８】
トップシート２は、厚さ方向Ｚの一方側に位置する第１面Ｓ21と、厚さ方向Ｚの他方側に位置する第２面Ｓ22とを有する。トップシート２は、第１面Ｓ21が着用者の肌側に位置し、第２表面Ｓ22がバックシート４側に位置するように、生理用ナプキン１に搭載されている。
【００４９】
トップシート２は、幅方向Ｙの両端縁２０１及び２０２を有する。両端縁２０１及び２０２は、長さ方向Ｘに直線状に延在するが、両端縁２０１及び２０２の少なくとも一方が、長さ方向Ｘに曲線状（例えば、波状）に延在していてもよい。
【００５０】
トップシート２は、長さ方向Ｘに延在する第１部分２１と、幅方向Ｙの一方側において第１部分２１に隣接する第２部分２２と、幅方向Ｙの他方側において第１部分２１に隣接する第３部分２３とを有する。第１部分２１は、トップシート２の幅方向Ｙの略中央に位置し、トップシート２の長さ方向Ｘの一方側の端縁から他方側の端縁まで長さ方向Ｘに延在する。第２部分２２は、第１部分２１の幅方向Ｙの一方側の端縁と接し、第３部分２３は、第１部分２１の幅方向Ｙの他方側の端縁と接する。平面視において、第１部分２１と第２部分２２との境界線は、第１サイドシート３１の幅方向Ｙの両端縁のうち内側の端縁３１１と一致し、第１部分２１と第３部分２３との境界線は、第２サイドシート３２の幅方向Ｙの両端縁のうち内側の端縁３２１と一致する。
【００５１】
以下、図４に基づいて、第１サイドシート３１及び第２サイドシート３２の基本的な構成を説明する。図４（Ａ）は、第１サイドシート３１及び第２サイドシート３２の平面図であり、図４（Ｂ）は、図４（Ａ）のＢ−Ｂ線断面図であり、図４（Ｃ）は、図４（Ａ）のＣ−Ｃ線断面図である。なお、図４（Ａ）において、第１サイドシート３１及び第２サイドシート３２に対するトップシート２の位置関係を明確にするために、トップシート２が仮想線で示されている。
【００５２】
第１サイドシート３１は、厚さ方向Ｚの一方側に位置する第１面Ｓ311と、厚さ方向Ｚの他方側に位置する第２面Ｓ312とを有し、第２サイドシート３２は、厚さ方向Ｚの一方側に位置する第１面Ｓ321と、厚さ方向Ｚの他方側に位置する第２面Ｓ322とを有する。第１サイドシート３１及び第２サイドシート３２は、第１面Ｓ311及び第１面Ｓ321が着用者の肌側に位置し、第２表面Ｓ312及び第２面Ｓ322がバックシート４側に位置するように、生理用ナプキン１に搭載されている。
【００５３】
第１サイドシート３１は、幅方向Ｙの両端縁のうち内側の端縁として、端縁３１１を有し、第２サイドシート３２は、幅方向Ｙの両端縁のうち内側の端縁として、端縁３２１を有する。端縁３１１は、中央領域Ｒ1と第１隣接領域Ｒ2との境界線Ｂ1を形成し、端縁３２１は、中央領域Ｒ1と第２隣接領域Ｒ3との境界線Ｂ2を形成する。端縁３１１及び端縁３２１は、長さ方向Ｘに略直線状に延在する（したがって、境界線Ｂ1及び境界線Ｂ2は、長さ方向Ｘに略直線状に延在する）が、端縁３１１及び端縁３２１の少なくとも一方が、長さ方向Ｘに曲線状（例えば、波状）に延在していてもよい。
【００５４】
第１サイドシート３１は、長さ方向Ｘに延在する第１部分３１１と、幅方向Ｙの外側において第１部分３１１に隣接する第２部分３１２とを有する。第１部分３１１は、第２部分３１２よりも幅方向Ｙの内側に位置し、第１サイドシート３１の長さ方向Ｘの一方側の端縁から他方側の端縁まで長さ方向Ｘに延在する。第２部分３１２は、第１部分３１１の幅方向Ｙの両端縁のうち外側の端縁と接する。平面視において、第１部分３１１と第２部分３１２との境界線は、トップシート２の端縁２０１と一致する。
【００５５】
第２サイドシート３２は、長さ方向Ｘに延在する第１部分３２１と、幅方向Ｙの外側において第１部分３２１に隣接する第２部分３２２とを有する。第１部分３２１は、第２部分３２２よりも幅方向Ｙの内側に位置し、第２サイドシート３２の長さ方向Ｘの一方側の端縁から他方側の端縁まで長さ方向Ｘに延在する。第２部分３２２は、第１部分３２１の幅方向Ｙの両端縁のうち外側の端縁と接する。平面視において、第１部分３２１と第２部分３２２との境界線は、トップシート２の端縁２０２と一致する。
【００５６】
トップシート２、第１サイドシート３１及び第２サイドシート３２は、トップシート２の第１部分２１が厚さ方向Ｚにおいて第１サイドシート３１及び第２サイドシート３２と重ならないように、トップシート２の第２部分２２が第１サイドシート３１の第１部分３１１とバックシート４との間に位置し、厚さ方向Ｚにおいて第１サイドシート３１の第１部分３１１と重なるように、そして、トップシートの第３部分２３が第２サイドシート３２の第１部分３２１とバックシート４との間に位置し、厚さ方向Ｚにおいて第２サイドシート３２の第１部分３２１と重なるように、生理用ナプキン１に搭載されている。したがって、トップシート２の第１面Ｓ21のうち、第１部分２１の表面に相当する領域が、生理用ナプキン１の第１面Ｓ11の中央領域Ｒ1を形成し、第１サイドシート３１の第１面Ｓ311が、生理用ナプキン１の第１面Ｓ11の第１隣接領域Ｒ2を形成し、第２サイドシート３２の第１面Ｓ321が、生理用ナプキン１の第１面Ｓ11の第２隣接領域Ｒ3を形成する。
【００５７】
以下、図５に基づいて、第１サイドシート３１及び第２サイドシート３２に形成された液透過孔６の基本的な構成を説明する。図５（Ａ）は、第１サイドシート３１及び第２サイドシート３２に形成された液透過孔６の斜視図であり、図５（Ｂ）は、図５（Ａ）のＢ−Ｂ線断面図であり、図５（Ｃ）は、図５（Ａ）のＣ−Ｃ線断面図である。
【００５８】
第１サイドシート３１に形成された液透過孔６は、第１隣接領域Ｒ2（第１面Ｓ311）に形成された開口部６０を有し、第２サイドシート３２に形成された液透過孔６は、第２隣接領域Ｒ3（第１面Ｓ321）に形成された開口部６０を有する。生理用ナプキン１が着用される際、本体部１０は下着のクロッチ部の肌当接面に設置され、第１ウイング部１１及び第２ウイング部１２は下着のクロッチ部の非肌当接面側（肌当接面の反対側）に折り返される。このため、中央領域Ｒ1に供給された液状排泄物は幅方向Ｙに向けて流れ出しやすい。この際、幅方向Ｙに向けて流れ出した液状排泄物は、第１隣接領域Ｒ2及び第２隣接領域Ｒ3に存在する液透過孔６の開口部６０で捕捉され、液透過孔６を通じて第１サイドシート３１及び第２サイドシート３２を透過する。したがって、生理用ナプキン１は、幅方向Ｙに向けて流れ出した液状排泄物の生理用ナプキン１からの漏出を防止することができる。
【００５９】
本実施形態において、開口部６０は平面視略矩形状であるが、開口部の形状は変更可能である。変更例としては、例えば、平面視略楕円形状等が挙げられる。
【００６０】
本実施形態において、開口部６０の開口面積は液透過孔６間で略一定であるが、開口部６０の開口面積は液透過孔６間で異なっていてもよい。１つの開口部６０の開口面積は、好ましくは０．０５〜５ｍｍ2、さらに好ましくは０．１〜２ｍｍ2である。開口部６０の開口面積の測定は、次のように実施される。マイクロスコープ等で撮影した生理用ナプキン１の第１面Ｓ11の画像を２値化することにより、生理用ナプキン１の第１面Ｓ11の画像から対象とする開口部６０の領域を抽出し、抽出領域の面積を算出し、算出された面積を対象とする開口部６０の開口面積とする。このような測定には、例えば、キーエンス社製デジタルマイクロスコープ及び付属ソフトウェアを使用することができるが、画像データ保存の可能なその他の撮影機器及び画像処理ソフトウェアを使用してもよい。
【００６１】
本実施形態において、長さ方向Ｘに隣接する２つの開口部６０の間隔及び幅方向Ｙに隣接する２つの開口部６０の間隔は略一定であるが、長さ方向Ｘに隣接する２つの開口部６０の間隔及び／又は幅方向Ｙに隣接する２つの開口部６０の間隔は一定でなくてもよい。長さ方向Ｘに隣接する２つの開口部６０の間隔は、好ましくは０．２〜５ｍｍ、さらに好ましくは０．５〜２ｍｍである。幅方向Ｙに隣接する２つの開口部６０の間隔は、好ましくは０．２〜５ｍｍ、さらに好ましくは０．５〜２ｍｍである。長さ方向Ｘに隣接する２つの開口部６０の間隔は、一方の開口部６０の輪郭線上の点のうち他方の開口部６０に最も近い点を通り、幅方向Ｙに延在する仮想直線と、他方の開口部６０の輪郭線上の点のうち一方の開口部６０に最も近い点を通り、幅方向Ｙに延在する仮想直線との距離である。幅方向Ｙに隣接する２つの開口部６０の間隔は、一方の開口部６０の輪郭線上の点のうち他方の開口部６０に最も近い点を通り、長さ方向Ｘに延在する仮想直線と、他方の開口部６０の輪郭線上の点のうち一方の開口部６０に最も近い点を通り、長さ方向Ｘに延在する仮想直線との距離である。
【００６２】
第１サイドシート３１に形成された液透過孔６は、第１サイドシート３１に形成された凹部であって、凹部を形成する内周面の一部が、第１サイドシート３１を厚さ方向Ｚに貫通するスリット６４によって第１隣接領域Ｒ2（第１面Ｓ311）から分断されている凹部であり、第２サイドシート３２に形成された液透過孔６は、第２サイドシート３２に形成された凹部であって、凹部を形成する内周面の一部が、第２サイドシート３２を厚さ方向Ｚに貫通するスリット６４によって第２隣接領域Ｒ3（第１面Ｓ321）から分断されている凹部である。すなわち、液透過孔６は、略矩形状の底面６１と、底面６１の長さ方向Ｘの両端縁及び第１隣接領域Ｒ2（又は第２隣接領域Ｒ3）を接続する側面６２，６３とを有する。しかしながら、底面６１の幅方向Ｙの両端縁及び第１隣接領域Ｒ2（又は第２隣接領域Ｒ3）は、第１サイドシート３１（又は第２サイドシート３２）を厚さ方向Ｚに貫通するスリット６４によって分断されているため、液透過孔６は、底面６１の幅方向Ｙの両端縁及び第１隣接領域Ｒ2（又は第２隣接領域Ｒ3）を接続する側面を欠いている。したがって、開口部６０から凹部の内部に浸入した液状排泄物は、スリット６４を通じて凹部の外部へ移行することができる。生理用ナプキン１では、液透過孔６がこのような構造を有しているので、トップシート２を透過した液状排泄物が、液透過孔６を通じて見えにくいとともに、液透過孔６を通じて滲み出しにくい。
【００６３】
スリット６４は、長さ方向Ｘに延在している。したがって、スリット６４が折り曲げ基点となり、第１ウイング部１１及び第２ウイング部１２を折り曲げやすい。
【００６４】
凹部の深さＤ（すなわち、開口部６０と底面６１との距離）は、第１サイドシート３１及び第２サイドシート３２の厚さＴよりも大きい。したがって、第１サイドシート３１の第２面Ｓ312と底面６１との間、及び、第２サイドシート３２の第面Ｓ322と底面６１との間には、凹部の内部及び外部を連通させる開口部が形成されている。但し、凹部の深さＤは第１サイドシート３１及び第２サイドシート３２の厚さＴ以下であってもよい。凹部の深さＤが第１サイドシート３１及び第２サイドシート３２の厚さＴ以下である実施形態では、着用者が生理用ナプキン１を着用する際に第１サイドシート３１及び第２サイドシート３２が湾曲することにより、第１サイドシート３１の第２面Ｓ312と底面６１との間、及び、第２サイドシート３２の第面Ｓ322と底面６１との間には、凹部の内部及び外部を連通させる開口部が形成される。
【００６５】
液透過孔６の構造は、液透過性を保持可能な範囲において変更可能である。変更例としては、液透過孔６が、第１サイドシート３１（又は第２サイドシート３２）に形成された凹部であって、凹部を形成する周壁又は底壁に、第１サイドシート３１（又は第２サイドシート３２）を貫通する貫通孔が形成された凹部である実施形態が挙げられる。
【００６６】
液透過孔が形成された合成樹脂シートは、合成樹脂シートをギア延伸することによって製造することができる。ギア延伸は、例えば、図８に示される一対のギア延伸ロール１２０，１３０によって実施することができる。ギア延伸ロール１２０の外周面には、液透過孔に対応する位置に歯１２１が設けられており、歯が設けられていない部分は溝１２２となっている。歯１２１及び溝１２２は、ＭＤ方向（不図示）及びＣＤ方向（ＭＤ方向と垂直な方向）に交互に配置されて列をなしており、各列において、隣り合う２つの歯１２１の間には、１つの溝１２２が位置している。ギア延伸ロール１３０の外周面には、ギア延伸ロール１２０の溝１２２に対応する位置に歯１３１が設けられており、歯１３１が設けられていない部分は溝１３２となっている。歯１３１及び溝１３２は、ＭＤ方向及びＣＤ方向に交互に配置されて列をなしており、各列において、隣り合う２つの歯１３１の間には、１つの溝１３２が位置している。なお、ＭＤ方向は長さ方向Ｘに対応し、ＣＤ方向は幅方向Ｙに対応する。各歯は、底部から先端部に向って細くなる台形型であり、底部の幅Ｗ１及び先端部の幅Ｗ２は、液透過孔の形態に応じて適宜調整される。各歯の高さＨ、隣り合う２つの歯のピッチＰ等は、液透過孔の形態、配置等に応じて適宜調整される。一対のギア延伸ロール１２０，１３０は、歯１２１が溝１３２に入り込むとともに、歯１３１が溝１２２に入り込むことにより、互いに噛み合って回転するようになっている。合成樹脂シートは、ギア延伸ロール１２０，１３０の歯溝が噛み合う部分を通過することにより、凹凸賦形される。ギア延伸ロール１２０の歯１２１によって凸状に賦形される部分は、液透過孔に相当する。ギア延伸ロール１２０，１３０の歯溝が噛み合っている時の歯の間隔Ｃ、歯の噛み込み深さＤ、合成樹脂シートの加熱温度等を調整することにより、合成樹脂シートの凹凸賦形時に、合成樹脂シートを貫通するスリット又は貫通孔を形成することができる。合成樹脂シートの加熱は、ギア延伸ロール１２０，１３０の加熱により実施することができる。また、ギア延伸ロール１２０，１３０の歯１２１，１３１の先端部の角部に対して部分的に面取りを施さないことにより、合成樹脂シートの凹凸賦形時に、合成樹脂シートを貫通するスリット又は貫通孔を形成することができる。この場合、合成樹脂シートを貫通するスリット又は貫通孔は、面取りが施されていない角部によってギア延伸された部分には形成されるが、面取りが施された角部によってギア延伸された部分には形成されない。また、ギア延伸する前に予め合成樹脂シートに細かい傷（凹部）を形成しておくことにより、合成樹脂シートの賦形時に、合成樹脂シートを貫通するスリット又は貫通孔を形成することができる。合成樹脂シートへの細かい傷（凹部）の形成は、外周面に凸部が設けられたローレットロールと、平滑な表面を有する予熱ロールとを使用して実施することができる。予熱ロールは加熱されているため、合成樹脂シートは柔らかくなり、成形しやすくなる。合成樹脂シートが、ローレットロールと予熱ロールとの間を通過する時、合成樹脂シートには、ローレットロールの凸部によって細かい傷（凹部）が形成される。その後、合成樹脂シートがギア延伸されると、細かい傷（凹部）が形成された部分は破れ、破れた部分が広げられ、合成樹脂シートを貫通するスリット又は貫通孔が形成される。
【００６７】
以下、図１及び図２に基づいて、生理用ナプキン１の付加的な構成を説明する。
生理用ナプキン１は、トップシート２及び第１サイドシート３１を接合する第１接合部７１と、トップシート２及び第２サイドシート３２を接合する第２接合部７２とを有する。但し、第１接合部７１及び第２接合部７２は省略可能である。
【００６８】
第１接合部７１は、トップシート２及び第１サイドシート３１のうち厚さ方向Ｚにおいて重なり合う部分、すなわち、トップシート２の第２部分２２と第１サイドシート３１の第１部分３１１とを接合する。第２接合部７２は、トップシート２及び第２サイドシート３２のうち厚さ方向Ｚにおいて重なり合う部分、すなわち、トップシート２の第３部分２３と第２サイドシート３２の第１部分３２１とを接合する。平面視において、第１接合部７１は、第２重なり領域Ｒ21内に位置し、第２接合部７２は第３重なり領域Ｒ31内に位置する。したがって、平面視において、第１接合部７１及び第２接合部７２は、第１重なり領域Ｒ11に対して幅方向Ｙに間隔を置いて位置する。
【００６９】
第１接合部７１は、トップシート２の第２部分２２と第１サイドシート３１の第１部分３１１とを一体化する圧搾溝であり、第２接合部７２は、トップシート２の第３部分２３と第２サイドシート３２の第１部分３２１とを一体化する圧搾溝である。圧搾溝は、ヒートエンボス処理により形成された、トップシート２側に開口する凹部である。ヒートエンボス処理は、例えば、パターニングされた凸部を有するエンボスロールとフラットロールとの間に、接合すべきシート（トップシート２及び第１サイドシート３１、又は、トップシート２及び第２サイドシート３２）を通過させることによって行われる。この方法では、エンボスロール及び／又はフラットロールの加熱により、圧縮時の加熱が可能である。エンボス処理における加熱温度、圧力、処理時間等は、適宜調整することができる。
【００７０】
第１接合部７１及び第２接合部７２は、トップシート２を透過した液状排泄物の、トップシート２及びバックシート４の間における幅方向Ｙへの広がりを堰き止めることができる。したがって、生理用ナプキン１は、トップシート２を透過した液状排泄物が生理用ナプキン１内部を幅方向Ｙへ広がることに起因する、生理用ナプキン１からの液状排泄物の漏出を防止することができる。また、第１サイドシート３１及び第２サイドシート３２は撥液性であるので、トップシート２を透過した液状排泄物は、第１接合部７１及び第２接合部７２から滲み出しにくい。したがって、生理用ナプキン１は、トップシート２を透過した液状排泄物が第１接合部７１及び第２接合部７２から滲み出すことに起因する、生理用ナプキン１からの液状排泄物の漏出を防止することができる。
【００７１】
トップシート２の第２部分２２と第１サイドシート３１の第１部分３１１との界面、及び、トップシート２の第３部分２３と第２サイドシート３２の第１部分３２１との界面は、接着剤（例えば、ホットメルト接着剤）によって接合されている。接着剤は、界面全体には塗工されておらず、例えば、ドット、スパイラル、ストライプ等のパターンで塗工されている。
【００７２】
第１サイドシート３１の幅方向Ｙの両端縁のうち内側（中央領域Ｒ1側）の端縁３１１、及び、第２サイドシート３２の幅方向Ｙの両端縁のうち内側（中央領域Ｒ1側）の端縁３２１は、接着剤によってトップシート２と接合されていない。このため、第１サイドシート３１の幅方向Ｙの両端縁のうち内側（中央領域Ｒ1側）の端縁３１１、及び／又は、第２サイドシート３２の幅方向Ｙの両端縁のうち内側（中央領域Ｒ1側）の端縁３２１は、トップシート２に固定されていない自由端縁となっている。但し、第１サイドシート３１の端縁３１１、及び／又は、第２サイドシート３２の端縁３２１はトップシート２に固定された固定端縁であってもよい。
【００７３】
第１サイドシートの自由端縁３１１及び第２サイドシートの自由端縁３２１は、中央領域Ｒ1から幅方向Ｙに流れ出した液状排泄物の勢いを妨げることができる。このため、中央領域Ｒ1から幅方向Ｙに流れ出した液状排泄物は、第１サイドシート３１の自由端縁及び第２サイドシートの自由端縁３２１を超えて漏出しにくい。したがって、生理用ナプキン１は、中央領域Ｒ1から幅方向Ｙに流れ出した液状排泄物の生理用ナプキン１からの漏出を防止することができる。
【００７４】
第２面Ｓ12のうち、第１ウイング部１１の表面に相当する領域内及び第２ウイング部１２の表面に相当する領域内には、それぞれ、第１粘着部８１及び第２粘着部８２が設けられている。さらに、第２面Ｓ12のうち、本体部１０の表面に相当する領域内には、第３粘着部８３が設けられている。但し、第１粘着部８１、第２粘着部８２及び第３粘着部８３は省略可能である。
【００７５】
第１粘着部８１及び第２粘着部８２は、それぞれ、第１ウイング部１１及び第２ウイング１２が下着のクロッチ部の非肌当接面側に折り返された際、折り返された第１ウイング部１１及び第２ウイング部１２を下着のクロッチ部の非肌当接面に固定する。第３粘着部７３は、本体部１０が下着のクロッチ部の肌当接面に設置された際、本体部１０を下着のクロッチ部の肌当接面に固定する。これにより、着用時の生理用ナプキン１のズレが防止される。
【００７６】
第１粘着部８１〜第３粘着部８３は、生理用ナプキン１の第２面Ｓ12の所定領域に粘着剤を面状に塗工することによって形成された粘着剤層である。
【００７７】
生理用ナプキン１の第２面Ｓ12の所定領域における粘着剤の塗工パターンは、面状に限定されるものではない。粘着剤は、第２面Ｓ12の所定領域の輪郭線上に連続又は不連続で存在していればよく、当該所定領域内には、粘着剤が存在しない部分が存在していてもよい。例えば、第１粘着部８１〜第３粘着部８３の１つ又は２つ以上は、長さ方向Ｘ又は幅方向Ｙに延在する複数条の粘着剤ラインによって形成されてもよい。粘着剤ラインの形状としては、例えば、直線状、スパイラル状、オメガ状等が挙げられる。
【００７８】
図６（Ａ）は、第１粘着部８１が長さ方向Ｘに延在する複数条の粘着剤ラインによって形成される一実施形態を示す平面図であり、図６（Ｂ）は、第１粘着部８１が幅方向Ｙに延在する複数条の粘着剤ラインによって形成される一実施形態を示す平面図である。なお、図６に基づく第１粘着部８１に関する説明は、第２粘着部８２及び第３粘着部８３にも適用される。第１粘着部８１が長さ方向Ｘに延在する複数条の粘着剤ラインによって形成される場合（図６（Ａ））、幅方向Ｙの両端に位置する２つの粘着剤ラインＡＬ1，ＡＬ2と、長さ方向Ｘの一方側に位置する各粘着剤ラインの端点ＬＴ1を結ぶ直線と、長さ方向Ｘの他方側に位置する各粘着剤の端点ＬＴ2を結ぶ直線とによって、第１粘着部８１の輪郭線（粘着剤が塗工された領域の輪郭線）が画定される。なお、端点ＬＴ1が直線上にない場合、隣り合う２つの端点ＬＴ1を直線で結べばよい。端点ＬＴ2が直線上にない場合も同様である。粘着剤が幅方向Ｙに延在する複数条のラインとして塗工される場合（図６（Ｂ））、長さ方向Ｘの両端に位置する２つの粘着剤ラインＢＬ1，ＢＬ2と、幅方向Ｙの一方側に位置する各粘着剤ラインの端点ＬＴ3を結ぶ直線と、幅方向Ｙの他方側に位置する各粘着剤の端点ＬＴ4を結ぶ直線とによって、第１粘着部８１の輪郭線（粘着剤が塗工された領域の輪郭線）が画定される。なお、端点ＬＴ3が直線上にない場合、隣り合う２つの端点ＬＴ3を直線で結べばよい。端点ＬＴ4が直線上にない場合も同様である。
【００７９】
生理用ナプキン１は、トップシート２及び吸収体５を厚さ方向Ｚに一体化する圧搾部９を有する。但し、圧搾部９は省略可能である。
【００８０】
圧搾部９は、ヒートエンボス処理により、生理用ナプキン１の第１面Ｓ11の中央領域Ｒ1に形成された圧搾溝である。第１面Ｓ11の中央領域Ｒ1は、着用者の排泄口（例えば、小陰唇、大陰唇等）が当接し、着用者から排泄された液状排泄物が主として供給される領域である。
【００８１】
以下、図７に基づいて、生理用ナプキン１の第１面Ｓ1における領域を説明する。なお、図７に示される各領域は仮想領域であり、各領域を画定する線は仮想線で示されている。
【００８２】
中央領域Ｒ1は、厚さ方向Ｚにおいて吸収体５と重なる領域Ｒ11（以下「第１重なり領域Ｒ11」という）と、厚さ方向Ｚにおいて吸収体５と重ならない領域Ｒ12（以下「第１非重なり領域Ｒ12」という）とを有する。第１非重なり領域Ｒ12は、第１重なり領域Ｒ11の周囲に位置する。
【００８３】
第１隣接領域Ｒ2は、厚さ方向Ｚにおいてトップシート２と重なる領域Ｒ21（以下「第２重なり領域Ｒ21」という）と、厚さ方向Ｚにおいてトップシート２と重ならない領域Ｒ22（以下「第２非重なり領域Ｒ22」という）とを有する。第１サイドシート３１の第１面Ｓ311のうち、第１部分３１１の表面に相当する領域及び第２部分３１２の表面に相当する領域が、それぞれ、第２重なり領域Ｒ21及び第２非重なり領域Ｒ22に相当する。
【００８４】
第２隣接領域Ｒ3は、厚さ方向Ｚにおいてトップシート２と重なる領域Ｒ31（以下「第３重なり領域Ｒ31」という）と、厚さ方向Ｚにおいてトップシート２と重ならない領域Ｒ32（以下「第３非重なり領域Ｒ32」）とを有する。第２サイドシート３１の第１面Ｓ321のうち、第１部分３２１の表面に相当する領域及び第２部分３２２の表面に相当する領域が、それぞれ、第３重なり領域Ｒ31及び第３非重なり領域Ｒ32に相当する。
【００８５】
第１隣接領域Ｒ2は、厚さ方向Ｚにおいて第１粘着部８１と重なる領域Ｒ23（以下「第４重なり領域Ｒ23」という）を有し、第２隣接領域Ｒ3は、厚さ方向Ｚにおいて第２粘着部８２と重なる領域Ｒ33（以下「第５重なり領域Ｒ33」という）を有する。第４重なり領域Ｒ23は、第１隣接領域Ｒ2のうち第２非重なり領域Ｒ22内に位置し、第５重なり領域Ｒ33は、第２隣接領域Ｒ3のうち第３非重なり領域Ｒ32内に位置する。
【００８６】
平面視（すなわち、第１重なり領域Ｒ11、第２重なり領域Ｒ21及び第３重なり領域Ｒ31が投影された、厚さ方向Ｚに垂直な平面）において、第２重なり領域Ｒ21及び第３重なり領域Ｒ31は、第１重なり領域Ｒ11に対して幅方向Ｙに間隔を置いて位置する。すなわち、第１サイドシート３１及び第２サイドシート３２が、厚さ方向Ｚにおいて吸収体５と重なっていないので、生理用ナプキン１に供給された液状排泄物の吸収体５への移行が第１サイドシート３１及び第２サイドシート３２によって阻害されにくい。したがって、生理用ナプキン１は、第１サイドシート３１及び第２サイドシート３２が厚さ方向Ｚにおいて吸収体５と重なることに起因する、生理用ナプキン１からの液状排泄物の漏出を防止することができる。
【００８７】
本実施形態において、第２重なり領域Ｒ21及び第３重なり領域Ｒ31は両方とも、第１重なり領域Ｒ11に対して幅方向Ｙに間隔を置いて位置するが、第２重なり領域Ｒ21及び第３重なり領域Ｒ31の少なくとも一方が、第１重なり領域Ｒ11に対して幅方向Ｙに間隔を置いて位置すればよい。
【００８８】
本実施形態において、第２重なり領域Ｒ21は、第１重なり領域Ｒ11に対して幅方向Ｙに間隔Ｄ1を置いて位置し、第３重なり領域Ｒ31は、第１重なり領域Ｒ11に対して幅方向Ｙに間隔Ｄ2を置いて位置する。
【００８９】
間隔Ｄ1は、第１重なり領域Ｒ11の輪郭線上の点のうち最も第２重なり領域Ｒ21側に位置する点を通って長さ方向Ｘに延在する仮想直線ＶＬ1と、第２重なり領域Ｒ21の輪郭線上の点のうち最も第１重なり領域Ｒ11側に位置する点を通って長さ方向Ｘに延在する仮想直線ＶＬ2との距離である。間隔Ｄ2は、第１重なり領域Ｒ11の輪郭線上の点のうち最も第３重なり領域Ｒ31側に位置する点を通って長さ方向Ｘに延在する仮想直線ＶＬ3と、第３重なり領域Ｒ31の輪郭線上の点のうち最も第１重なり領域Ｒ11側に位置する点を通って長さ方向Ｘに延在する仮想直線ＶＬ4との距離である。本実施形態において、第１重なり領域Ｒ11の幅方向Ｙの両端縁は、長さ方向Ｘに略直線状に延在するので、仮想直線ＶＬ1及びＶＬ3と一致する。また、第２重なり領域Ｒ21の幅方向Ｙの両端縁のうち内側の端縁は、長さ方向Ｘに略直線状に延在するので、仮想直線ＶＬ2と一致する。また、第３重なり領域Ｒ31の幅方向の両端縁のうち内側の端縁は、長さ方向Ｘに略直線状に延在するので、仮想直線ＶＬ4と一致する。
【００９０】
間隔Ｄ1及びＤ2は、好ましくは吸収体５の厚み以下である。なお、吸収体５の厚みは、通常１〜１０ｍｍ、好ましくは１．５〜７ｍｍ、さらに好ましくは２〜５ｍｍである。間隔Ｄ1及びＤ2の下限値は特に限定されるものではないが、間隔Ｄ1及びＤ2は、好ましくは１ｍｍ以上、さらに好ましくは３ｍｍ以上である。
【００９１】
生理用ナプキン１に対して加えられた幅方向Ｙの内側に向かう力によって、生理用ナプキン１の第１面Ｓ11が、第１重なり領域Ｒ11の幅方向Ｙの両端縁で谷折りに折れ曲がり、さらに、第２重なり領域Ｒ21の幅方向Ｙの両端縁のうち内側（中央領域Ｒ1側）の端縁及び第３重なり領域Ｒ31の幅方向Ｙの両端縁のうち内側（中央領域Ｒ1側）の端縁で山折りに折れ曲がる場合がある。この場合、第１重なり領域Ｒ11と第２重なり領域Ｒ21との間隔、及び、第１重なり領域Ｒ11と第３重なり領域Ｒ31との間隔が、吸収体５の厚みよりも大きいと、第１重なり領域Ｒ11と第２重なり領域Ｒ21との間の領域の変形、及び、第１重なり領域Ｒ11と第３重なり領域Ｒ31との間の領域の変形によって、第２重なり領域Ｒ21及び第３重なり領域Ｒ31が、厚さ方向Ｚにおいて第１重なり領域Ｒ11と重なる（すなわち、厚さ方向Ｚにおいて第１サイドシート３１及び第２サイドシート３２が吸収体５と重なる）おそれがある。この点、生理用ナプキン１では、第１重なり領域Ｒ11と第２重なり領域Ｒ21との間隔、及び、第１重なり領域Ｒ11と第３重なり領域Ｒ31との間隔が、吸収体５の厚み以下である。したがって、生理用ナプキン１に対して幅方向Ｙの内側に向かう力が加えられても、第１サイドシート３１及び第２サイドシート３２は、厚さ方向Ｚにおいて吸収体５と重なりにくい。
【００９２】
第１サイドシート３１に形成された液透過孔６の開口部６０は、第２重なり領域Ｒ21と第４重なり領域Ｒ23との間に位置する。すなわち、第１サイドシート３１に形成された液透過孔６の開口部６０は、第２重なり領域Ｒ21の幅方向Ｙの両端縁のうち第４重なり領域Ｒ23側の端縁と、第４重なり領域Ｒ23の輪郭線上の点のうち最も第２重なり領域Ｒ21側に位置する点を通り、長さ方向Ｘに延在する仮想直線ＶＬ5との間には存在するが、仮想直線ＶＬ5よりも幅方向Ｙの外側には存在しない。但し、このような条件は、本発明の吸収性物品にとって必須ではない。本発明の吸収性物品は、第１サイドシート３１に形成された液透過孔６の開口部６０が、仮想直線ＶＬ5よりも幅方向Ｙの外側にも存在する実施形態を包含する。本実施形態において、第４重なり領域Ｒ23の両端縁のうち内側の端縁は、長さ方向Ｘに略直線状に延在するので、仮想直線ＶＬ5と一致する。
【００９３】
第２サイドシート３２に形成された液透過孔６の開口部６０は、第３重なり領域Ｒ31と第５重なり領域Ｒ33との間に位置する。すなわち、第２サイドシート３２に形成された液透過孔６の開口部６０は、第３重なり領域Ｒ31の幅方向Ｙの両端縁のうち第５重なり領域Ｒ33側の端縁と、第５重なり領域Ｒ33の輪郭線上の点のうち最も第３重なり領域Ｒ31側に位置する点を通り、長さ方向Ｘに延在する仮想直線ＶＬ6との間には存在するが、仮想直線ＶＬ6よりも幅方向の外側には存在しない。但し、このような条件は、本発明の吸収性物品にとって必須ではない。本発明の吸収性物品は、第２サイドシート３２に形成された液透過孔６の開口部６０が、仮想直線ＶＬ6よりも幅方向Ｙの外側にも存在する実施形態を包含する。本実施形態において、第５重なり領域Ｒ33の両端縁のうち内側の端縁は、長さ方向Ｘに略直線状に延在するので、仮想直線ＶＬ6と一致する。
【００９４】
生理用ナプキン１において、仮想直線ＶＬ5及びＶＬ6は、第１ウイング部１１及び第２ウイング部１２が下着のクロッチ部の非肌当接面側に折り返される際の折り曲げ線となりやすい。第１ウイング部１１及び第２ウイング部１２がこれらの仮想直線で折り返されると、これらの仮想直線よりも幅方向Ｙの外側に位置する部分が着用者の着衣側に位置するが、これらの部分には液透過孔６の開口部６０が存在しない。したがって、トップシート２を透過した液状排泄物が生理用ナプキン１内部を幅方向Ｙへ広がっても、これらの部分から液状排泄物が滲み出しにくい。また、これらの部分に液透過孔６の開口部６０が存在しないので、第１サイドシート３１及び第２サイドシート３２のうち第１ウイング部１１及び第２ウイング部１２を形成する部分の強度が十分なものとなる。したがって、第１ウイング部１１及び第２ウイング部１２が第１粘着部８１及び第２粘着部８２によって下着のクロッチ部の非肌当接面に固定されたとき、第１粘着部８１及び第２粘着部８２による生理用ナプキン１のズレ防止効果が発揮されやすい。
【符号の説明】
【００９５】
１    生理用ナプキン（吸収性物品の一例）
１０    本体部
１１    第１ウイング部
１２    第２ウイング部
２    トップシート
３１    第１サイドシート
３２    第２サイドシート
４    バックシート
５    吸収体
６    液透過孔
６０    液透過孔の開口部
７１    第１接合部
７２    第２接合部
８１    第１粘着部
８２    第２粘着部
８３    第３粘着部
９    圧搾部
Ｘ    長さ方向
Ｙ    幅方向
Ｚ    厚さ方向
Ｓ11    生理用ナプキンの第１面
Ｓ12    生理用ナプキンの第２面
Ｒ1    中央領域
Ｒ2    第１隣接領域
Ｒ3    第２隣接領域
Ｒ11    第１重なり領域
Ｒ21    第２重なり領域
Ｒ31    第３重なり領域
Ｒ23    第４重なり領域
Ｒ33    第５重なり領域
【図１】
0005863890.tif 000002
【図２】
0005863890.tif 000003
【図３】
0005863890.tif 000004
【図４】
0005863890.tif 000005
【図５】
0005863890.tif 000006
【図６】
0005863890.tif 000007
【図７】
0005863890.tif 000008
【図８】
0005863890.tif 000009